(57)【要約】      （修正有）【課題】お守り袋を開けることなくお守り袋に物品を収納することができるお守り袋及びそのお守り袋に内符を収納したお守りを提供する。【解決手段】お守り袋２は、袋状のお守り袋本体と、お守り袋本体の外面に取り付けられた収納部と、を有する。収納部シート２４がお守り袋本体の後部１４に取り付けられることにより、後部１４の外面と収納部シート２４との間に、写真１００を収納可能な平坦な収納空間が形成される。【選択図】図４
0003222873.tif 000002
【実用新案登録請求の範囲】
【請求項１】
袋状のお守り袋本体と、
前記お守り袋本体の外面に取り付けられた収納部と、を有する、
ことを特徴とするお守り袋。
【請求項２】
前記お守り袋本体は、前部及び後部を有し、これらの前記前部及び前記後部が互いに連結されることで袋状に構成されている、
請求項１に記載のお守り袋。
【請求項３】
前記収納部は、前記お守り袋本体の外面に連結されて前記外面との間に収納空間を形成する収納部シートを有する、
請求項１又は請求項２に記載のお守り袋。
【請求項４】
前記収納部シートには、前記収納部の内部が視認可能な窓部が設けられている、
請求項３に記載のお守り袋。
【請求項５】
前記お守り袋本体は、下部が略矩形状に形成され、前記収納部シートは、前記お守り袋本体の幅寸法と同じ幅寸法を有する略矩形状に形成され、上端が前記お守り袋本体の外面に連結されないことにより、前記収納部の開口を形成する、
請求項３又は請求項４に記載のお守り袋。
【請求項６】
請求項１から請求項５のいずれか１項に記載のお守り袋と、
前記お守り袋内に収納された内符と、を有する、
ことを特徴とするお守り。
【考案の詳細な説明】
【技術分野】
【０００１】
本考案は、内符を収納するお守り袋及びお守り袋に内符を収納したお守りに関する。
【背景技術】
【０００２】
従来、お守り袋としては、例えば特許文献１に記載のようなものがある。このお守り袋は、前布と後布との接合部をジッパーにより開閉可能に構成されており、内部に寺社から請い受けた守り札の他、ミニ御朱印帳、家族の写真等を収納することができる。
【先行技術文献】
【特許文献】
【０００３】
【特許文献１】登録実用新案第３２０１０５８号公報
【考案の概要】
【考案が解決しようとする課題】
【０００４】
ところで、お守りには様々な種類のものがあり、例えばコンサート等のチケットの購入時に良い席が取れるようにとのお守りなどがある。このような場合に、そのコンサートやコンサートの出演者に関連するグッズや写真等をお守りに一緒に入れておきたいという要望がある。
しかしながら、寺社にて祈祷が行われたお守り袋には、御霊の宿った内符が収納されており、お守り袋を開けることはよくないこととされている。
【０００５】
本考案の目的は、お守り袋を開けることなくお守り袋に物品を収納することができるお守り袋及びそのお守り袋に内符を収納したお守りを提供することにある。
【課題を解決するための手段】
【０００６】
上記の目的を達成するために、本考案のお守り袋は、袋状のお守り袋本体と、お守り袋本体の外面に取り付けられた収納部と、を有する、ことを特徴としている。
【０００７】
このように構成された本考案においては、お守り袋本体の外面に収納部を有するので、お守り袋を開けることなく、収納部に例えば写真や紙片等、物品を収納することができる。
【０００８】
本考案において、好ましくは、お守り袋本体は、前部及び後部を有し、これらの前部及び後部が互いに連結されることで袋状に構成されている。
このように構成された本考案においては、お守り袋本体が、前部及び後部が互いに連結されることによって袋状に構成されているので、内部に内符等を収納することができる。
【０００９】
本考案において、好ましくは、収納部は、お守り袋本体の外面に連結されて外面との間に収納空間を形成する収納部シートを有する。
このように構成された本考案においては、収納部シートをお守り袋本体の外面に連結することによって収納空間を形成することができるので、簡単な構造で収納部を形成することができる。
【００１０】
本考案において、好ましくは、収納部シートには、収納部の内部が視認可能な窓部が設けられている。
このように構成された本考案においては、収納部に窓部が設けられているので、収納部に収納した物品が外部から視認可能になる。
【００１１】
本考案において、好ましくは、お守り袋本体は、下部が略矩形状に形成され、収納部シートは、お守り袋本体の幅寸法と同じ幅寸法を有する略矩形状に形成され、上端がお守り袋本体の外面に連結されないことにより、収納部の開口を形成する。
このように構成された本考案においては、収納部シートがお守り袋本体の幅寸法と同じ幅寸法を有する略矩形状に形成されているので、収納部シートを目立たない態様でお守り袋本体に配置することができる。
【００１２】
上記の目的を達成するために、本考案のお守りは、前述のお守り袋と、お守り袋内に収納された内符と、を有する。
このように構成された本考案においては、お守りが収納部を備えたお守り袋を有するので、祈祷が行われ内符が収納されたお守り袋を開けることなく収納部に物品を収納することができる。
【図面の簡単な説明】
【００１３】
【図１】本考案の一実施形態に係るお守りを示す正面図である。
【図２】本考案の一実施形態に係るお守りを示す背面図である。
【図３】本考案の一実施形態に係るお守りの縦断面図である。
【図４】本考案の一実施形態に係るお守りの収納部に物品を収納した状態を示す図である。
【考案を実施するための形態】
【００１４】
以下、本考案の好ましい実施形態を添付図面を参照して説明する。
図１は、本考案の一実施形態に係るお守りを示す正面図であり、図２は、本考案の一実施形態に係るお守りを示す背面図であり、図３は、本考案の一実施形態に係るお守りの縦断面図である。
これらの図１乃至図３に示すように、本実施形態に係るお守り１は、お守り袋２と、お守り袋２内に収納された内符４（図３参照）と、を有する。
お守り袋２は、内符４を収納可能な袋状のお守り袋本体６と、お守り袋本体６の開口部分を閉じるための紐８と、お守り袋本体６の外面に取り付けられた収納部１０と、を有する。
【００１５】
お守り袋本体６は、略矩形の布で構成された前部１２と、前部１２と同じく略矩形の布で構成された後部１４とで構成され、前部１２及び後部１４の左右端及び下端が互いに縫合されることによって互いに連結されている。前部１２及び後部１４の上部左右端は、内側に折り込まれて肩部１６を形成しており、これによりお守り袋本体６は、上部が開口した、上部が台形で下部が矩形状の、袋状に形成されている。袋状のお守り袋本体６の内部には、内符４が収納されている。前部１２及び後部１４の上部中央には、紐８を通すための小孔１８が横方向に間隔をあけて２つ形成されている。
【００１６】
紐８は、お守り袋本体６の前部１２の上部中央に配置された結び２０と、結び２０から小孔１８を通って延びる掛け紐部２２とを有する。
【００１７】
収納部１０は、お守り袋本体６の後部１４の下部の略矩形の形状と同じ形状の略矩形の布製の収納部シート２４を有する。したがって、収納部シート２４は、お守り袋本体の幅寸法を同じ幅寸法を有する。収納部シート２４は、左右端及び下端が前部１２及び後部１４と一緒に縫い込まれて、お守り袋本体６の外面、より具体的には後面に連結されている。一方、収納部シート２４の上端はお守り袋本体６の後面１４には連結されず、したがって、収納部シート２４は、お守り袋本体６の後部１４の外面との間に、上端が開口した略矩形状の平坦な収納空間２６を形成する。
収納部シート２４には、収納部１０の内部、すなわち収納空間２６が視認可能な窓部２８が設けられている。窓部２８は、略矩形の透明な部材で形成されている。
【００１８】
図４は、本考案の一実施形態に係るお守りの収納部に物品を収納した状態を示す図である。この図４に示すように、お守り袋２に写真１００を収納する場合には、収納部１０の収納空間２６に写真１００を挿入する。写真１００の画像は、窓部２８を通して外部から視認可能となる。
【００１９】
このように構成された本実施形態によれば、次のような優れた効果を得ることができる。
お守り袋本体６の外面に収納部１０を設けたので、お守り袋本体６の内符４が収納されている部分を開くことなく、収納部１０に写真１００を収納することができる。したがって、例えばコンサート等のチケットの購入時に良い席が取れるようにとの祈祷がなされたお守りに、そのコンサートやコンサートの出演者に関連するグッズや写真等を収納部１０に収納することができるから、お守りの保持者の要望に応えることができる。
【００２０】
お守り袋本体６が、前部１２及び後部１４が互いに縫い合わされることで袋状に構成されているので、内部に内符４を収納することができる。
【００２１】
収納部１０が収納部シート２４を有し、後部１４の外面との間に収納空間２６を形成するので、収納部シート２４を後部１４と一緒に縫い合わせることで収納部１０を形成することができる。よって簡単な構造で収納部１０を形成することができる。
【００２２】
収納部シート２６に窓部２８が形成されているので、内部に収納した写真１００を観察することができる。
収納部シート２６が、お守り袋本体６の幅寸法と同じ幅寸法を有する略矩形状に形成されているので、収納部シート２６をお守り袋本体６の後面１４に配置したとき、収納部シート２６の左右端を後面１４の左右端と一緒に前面１２に対して縫い込むことができ、収納部シート２６の左右端が後面１４上に表れない。よってお守り袋２の外観を良好にすることができる。また、収納部シート２６が上端が後面１４に連結されないので、上端が全幅にわたって開口する。よって開口の広い収納部１０を形成することができるとともに、すっきりした外観のお守り袋２を形成することができる。
【００２３】
本考案は、以上の実施の形態に限定されることなく、例えば、以下のような態様であってもよい。
上述の実施形態では、収納部１０に写真１００が収納されていたが、これに限らず任意の平坦な部材を収納しても良い。また、平坦な部材に限らず、立体的な任意の物品を収納してもよい。
窓部の形状は矩形状に限らず、円形、楕円形、ハート形、星形等、任意の形状を採用することができる。
【００２４】
収納部シートは、お守り袋本体の幅寸法を同じ幅寸法を有していたが、これに限らず、収納部シートの形状、寸法は任意に設定することができる。
収納部は、収納部シートを有するものに限らず、例えば袋状の部材をお守り袋本体に連結してもよい。また収納空間は、収納部シートとお守り袋本体の後面との間に形成される平坦な空間に限らず、立体的な空間が形成されるように構成してもよい。
【００２５】
収納部は、上端が開口しているものに限らず、例えば左右端のいずれかまたは両方が開口していてもよく、また、物品が収納部から落ちないように構成することができれば、下端が開口するように構成されてもよい。
お守り袋本体の形状は、上部が台形で下部が矩形であるものに限らず、任意の形状を採用することができる。
紐は必ずしも設けられていなくてよい。
【符号の説明】
【００２６】
１  お守り
２  お守り袋
４  内符
６  お守り袋本体
１０  収納部
１２  前部
１４  後部
２４  収納部シート
２６  収納空間
２８  窓部
１００  写真
【図１】
0003222873.tif 000003
【図２】
0003222873.tif 000004
【図３】
0003222873.tif 000005
【図４】
0003222873.tif 000006